(57)【要約】【課題】  作動力のバラエティーの対応が容易に可能な２段クリックにおいて、節度感触に優れたゴムドームを有するスイッチ装置を提供する。【解決手段】  板状の１枚の基部に隣接して配置した、少なくとも軽作動力用のゴムドーム１７Ｂと重作動力用のゴムドーム１７Ａと、軽作動力用のゴムドーム１７Ｂと重作動力用のゴムドーム１７Ａの上面に、その異なる一部を載置され、上下動自在に保持される作動体１５とを備え、重作動力用のゴムドーム１７Ａの周囲の基部２７Ａを、軽作動力用のゴムドーム１７Ｂの基部２７Ｂに比べて肉厚に形成し、また、軽作動力用のゴムドーム１７Ｂの基部２７Ｂの変位を防止する防止部（内壁部３０）を設け、軽作動力用のゴムドーム１７Ｂの基部２７Ｂの外周に、重作動力用のゴムドーム１７Ａの基部２７Ａと前記防止部を配置した。【選択図】      図８
2006228525.tif 000002
【特許請求の範囲】
【請求項１】
ゴム材からなり板状の１枚の基部に該基部と一体に形成され、又隣接して配置した、少なくとも軽作動力用のゴムドームと重作動力用のゴムドームと、
前記軽作動力用のゴムドームと重作動力用のゴムドームの上面に、その異なる一部を載置され、上下動自在に保持される作動体とを備え、
前記重作動力用のゴムドームの周囲の前記基部を、前記軽作動力用のゴムドームの周囲の前記基部に比べて肉厚に形成し、また、前記軽作動力用のゴムドームの周囲の基部の変位を防止する防止部を設け、
前記軽作動力用のゴムドームの周囲の基部の外周に該ゴムドームの周囲の基部を囲むようにして、前記重作動力用のゴムドームの周囲の肉厚の基部と前記防止部を配置したことを特徴とするスイッチ装置。
【請求項２】
請求項１において、１つのシーソースイッチに対応して４つのゴムドームを設けるとともに、前記４つのゴムドームは前記軽作動力用のゴムドームと前記重作動力用のゴムドームを対角線位置に配置したことを特徴とするスイッチ装置。
【請求項３】
請求項１において、前記軽作動力用のゴムドームの基部の変位を防止する防止部は、前記スイッチ装置のスイッチケースの内壁面と前記基部の側面とが接することで構成されたことを特徴とするスイッチ装置。
【発明の詳細な説明】
【技術分野】
【０００１】
本発明は、例えば自動車のパワーウインドウスイッチに用いられるスイッチ装置に関する。
【背景技術】
【０００２】
従来のスイッチ装置の一例としては、例えば、自動車のパワーウインドウスイッチに関する特許文献１があり、これを図１１及び図１２に示す。
【０００３】
この図１１に示すスイッチ装置Ｓ２は、シーソーつまみ１０１の操作側壁１０２に例えば指を掛けて矢印Ｃ方向に引き上げるプル操作を行うと、シーソーつまみ１０１の操作側壁１０２は、引き上げられ、この引き上げによって、シーソーつまみ１０１に一体的に取り付けられた駆動部材１０３が凹部１０４を回転中心（支点）として、駆動部材１０３が回動し、スイッチ作動部１０５が押し下げられるように移動する。
【０００４】
スイッチ作動部１０５が押し下げられると、スイッチ作動部１０５に当接されている作動体１０６と作動体１０６の押圧部１０７に当接されているカム部材１０８とが共に押し下げられる。このようにカム部材１０８が押し下げられると、このカム部材１０８によって、クリックゴム１０９の２個のゴムドーム１１９内の可動接点１１０がそれぞれ対向するプリント配線基板１１１の２個の固定接点（図示せず）に接触して、図１２の状態となって２個の第１のスイッチ部がオンとなる。
【０００５】
次に、図１２の状態から、シーソーつまみ１０１の操作側壁１０２へのプル操作を解除すると、２個の可動接点１１０を備えたドーム状のゴムドーム１１９の自己復帰力によって、可動接点１１０が前記固定接点から離間して、第１のスイッチ部がオフとなる。このとき、可動接点１１０を備えたドーム状のゴムドーム１１９の自己復帰力によって、カム部材１０８と作動体１０６とが押し上げられ、この押し上げによって、駆動部材１０３が凹部１０４を回転中心（支点）として、駆動部材１０３が回動し、スイッチ作動部１０５が押し上げられ、シーソーつまみ１０１が図１１に示す元の位置に復帰する。
【０００６】
なお、１１２は駆動部材１０３を取り付ける取付部材、１１３は取付部材１１２の貫通孔、１１４はシーソーつまみ１０１の上壁、１１５はシーソーつまみ１０１の側壁、１１６は取付部材１１２の外周壁、１１７は駆動部材１０３の他のスイッチ作動部、１１８は底面を覆うカバーである。
【特許文献１】特開２００２−３３４６３１公報
【発明の開示】
【発明が解決しようとする課題】
【０００７】
ところで、従来のスイッチ装置では、スイッチ作動部１０５、１１７の押圧位置はそれぞれ２つのゴムドーム１１９間の中央位置に対応するカム部材１０８の中央部に当接させるものであるから、２つのゴムドーム１１９は、図１２に示すように、同時に押されて同時にスイッチがオンとなる。ところで、近年、パワーウインドウのスイッチにおいては１段目の動作でマニュアル動作、２段目の動作でオート動作させるものであり、その場合には、２段階の動作を行うことが必要となり、前記従来例において、このようなスイッチを提供する際には、スイッチ作動部１０５，１１７の押圧位置をゴムドーム１１９間の中央位置から偏心させることでそれぞれのゴムドーム１１９までの距離を変え、１段目、２段目のスイッチ動作をさせるものではあるが、両方を同形状のゴムドーム１１９としていたので、作動力のバラエティーの対応に限界があるという問題がある。
【０００８】
また、同時に各ゴムドーム１１９の周辺に設けた基部が、ゴムドーム１１９の押圧に伴って変形するので、ゴムドーム１１９の座屈が正常に行われず、明瞭なクリック感触を生じさせるのが難しいという問題もある。
【０００９】
本発明の目的は、作動力のバラエティーの対応が容易に可能な２段クリックにおいて、節度感触に優れたゴムドームを有するスイッチ装置を提供することにある。
【課題を解決するための手段】
【００１０】
上述の目的を達成するために、本発明のスイッチ装置は、ゴム材からなり板状の１枚の基部に該基部と一体に形成され、又隣接して配置した、少なくとも軽作動力用のゴムドームと重作動力用のゴムドームと、前記軽作動力用のゴムドームと重作動力用のゴムドームの上面に、その異なる一部を載置され、上下動自在に保持される作動体とを備え、前記重作動力用のゴムドームの周囲の前記基部を、前記軽作動力用のゴムドームの周囲の前記基部に比べて肉厚に形成し、また、前記軽作動力用のゴムドームの周囲の基部の変位を防止する防止部を設け、前記軽作動力用のゴムドームの周囲の基部の外周に該ゴムドームの周囲の基部を囲むようにして、前記重作動力用のゴムドームの周囲の肉厚の基部と前記防止部を配置した構成にしてある。
【００１１】
また、上述の発明のスイッチ装置において、１つのシーソースイッチに対応して４つのゴムドームを設けるとともに、前記４つのゴムドームは前記軽作動力用のゴムドームと前記重作動力用のゴムドームを対角線位置に配置した構成にしてある。
【００１２】
また、上述の発明のスイッチ装置において、前記軽作動力用のゴムドームの基部の変位を防止する防止部は、前記スイッチ装置のスイッチケースの内壁面と前記基部の側面とが接することで構成してある。
【発明の効果】
【００１３】
本発明は、軽作動力用のゴムドームの押圧に伴う基部の外周は、重作動力用のゴムドームの基部並びに防止部によって不要な撓み（動き）を規制されるので、軽作動力用のゴムドームは正常に座屈するので歯切れの良いクリック感触とすることができる。また、重作動力用のゴムドームの基部を利用できるので、別に基部に変形防止部を設けるのに比べて寸法を大きくすることなく、また、簡単に形成することができる。また、周囲に重作動力用のゴムドームの基部を変形防止として使用できない部分は剛性の高いスイッチケースを利用して変形を抑えることができるので、クリックゴムに設けるのに比べて小型化できる。
【００１４】
また、重作動力用のゴムドームの基部を肉厚として軽作動力用のゴムドームの基部の変形を抑えることができるが、重作動力用のゴムドームはもともと回りの基部の肉厚が厚くゴムドームの押圧に伴うその回りの基部の変形を抑えることが可能であるからクリック感触についての問題はない。
【００１５】
したがって、軽作動力用スイッチと重作動力用スイッチを、小型で簡単に歯切れの良いクリック感触とすることができる。
【００１６】
本発明は、軽作動力用のゴムドームと重作動力用のゴムドームを対角線上に配置しているので、重作動力用のゴムドームの基部を最大限利用できる。
【００１７】
本発明は、クリックゴムを押さえ付けて変形を防止する場合には、その押さえるバラツキによって基部の変形量が異なってしまうのでクリック感触が異なる可能性があるが、スイッチケースの内側面と、ゴムドームの基部の側面が接するものであるので、基部の変形量が異なってしまうことがなくクリック感触が安定する。
【発明を実施するための最良の形態】
【００１８】
以下、本発明のスイッチ装置の実施例を図面に基づいて説明する。
【００１９】
図１は本発明の実施例に係るスイッチ装置を適用したパワーウインドウスイッチ装置の平面図、図２は図１の２−２線に沿った断面図、図３は図２の３−３線に沿った断面図、図４は押圧状態を示す断面図、図５は図４の５−５線に沿った断面図、図６は更に押圧した状態を示す断面図、図７は図６の７−７線に沿った断面図、図８はスイッチケース内に収納されたクリックゴムを横断して示す断面図、図９はクリックゴムの斜視図、図１０はクリックゴムのゴムドームの寸法関係を示す説明図である。
【００２０】
次に、本発明の実施例であるスイッチ装置の構成を図１〜図１０に基づいて説明する。
【００２１】
スイッチ装置Ｓは、運転者の操作が行い易いように運転席側のドアの側部に配備されており、かつ、運転者の操作に便利なように前記各座席それぞれのウインドウの開閉のために各ウインドウに個別に対応して設けられたパワーウインドウスイッチとしてのシーソースイッチ１が４個設けられている。なお、基本的に４つも同じ構造の為２つについて図示する。２は他の操作スイッチである。
【００２２】
図２に示すようにスイッチ装置Ｓは、図示しない複数組の固定接点を有する回路基板３を備え、この回路基板３上にはスイッチケース４が取り付けられているとともに、その上部にはパネル５が、その下部にはカバー６がそれぞれ装着されていることでその基本構造体が構成されており、そして、この基本構造体にはシーソースイッチ１が配置されている。
【００２３】
次に、シーソースイッチ１の構成を説明する。
【００２４】
７は下部が開口された箱型形状のシーソーつまみであり、シーソーつまみ７の両側板下部には一対の軸支孔８が穿設され、さらに、軸支孔８の両側、つまり、シーソーつまみ７の図２で左側壁下端面に突設した突起をスイッチ作動部９ａとし、また、軸支孔８の図２で右側で垂下した壁部下面に突設した突起からなるスイッチ作動部９ｂとが設けられている。
【００２５】
スイッチケース４は、立ち上がり壁部１０で囲まれるようにして開口１１が設けられている。立ち上がり壁部１０の両側部には前記軸支孔８に挿通される一対の軸支用突部１２が一体に設けられ合成樹脂性のシーソーつまみ７の前記両側板及び立ち上がり壁部１０が撓んでスイッチケース４にシーソーつまみ７が揺動可能に取り付けられる。開口１１内の底部に挿通孔１３が設けられている。また、スイッチケース４の上板にはガイド孔１４が穿設され、ガイド孔１４には、作動体１５が上下動自在に挿入されている。これらの作動体１５の下端は、クリックゴム１６のゴムドーム１７Ａ、１７Ｂの上面に当接し、また、１つの作動体１５の上端は、シーソーつまみ７のスイッチ作動部９ａに当接し、他の１つの作動体１５の上端は、シーソーつまみ７のスイッチ作動部９ｂに当接している。なお、後述するが、ゴムドーム１７Ａは重作動力を必要とする重作動力用ゴムドームであり、ゴムドーム１７Ｂは軽作動力によってクリック感触を得られる軽作動力用ゴムドームである。
【００２６】
クリックゴム１６は、そのゴムドーム１７Ａ、１７Ｂに、それぞれ導電性であり上記固定接点に対向する可動接点１７Ａ１が設けられており、これら固定接点と可動接点によってプッシュスイッチ１８が構成されている。上記作動体１５の下面両端寄りには突起１９が突設され、この突起１９がクリックゴム１６のゴムドーム１７Ａ、１７Ｂの上面に設けられた嵌合凹部２０にそれぞれ嵌合されている。そして、該プッシュスイッチ１８は、上記各作動体１５のそれぞれに対し２固ずつ設けられており、また、作動体１５の上端に当接するスイッチ作動部９ａならびに９ｂは、図３に示すように両プッシュスイッチ１８（ゴムドーム１７Ａ、１７Ｂ）の中間点より右のプッシュスイッチ１８（ゴムドーム１７Ｂ）寄りに設定されている。これにより、後述するような２段にクリック感を生じなから２段スイッチ動作が行われる。また、重作動力用のゴムドーム１７Ａにはその周囲に上方から見て四角形状の基部２７Ａが形成されており、この基部２７Ａは、軽作動力用のゴムドーム１７Ｂの周囲に形成された基部２７Ｂより肉厚に設定されている。そして、重作動力用のゴムドーム１７Ａと軽作動力用のゴムドーム１７Ｂとはクリックゴム１６に図９に示すように板状の基部２７Ａ、２７Ｂに隣接して交互に配置されている。
【００２７】
スイッチケース４には、シーソーつまみ７の形成方向の一方の端部上部を手を触れる被当接部Ａとし、この被当接部Ａと対向し、また、シーソーつまみ７の押圧方向から見た平面視状態でシーソーつまみ７から外れた範囲に渡って、かつ少なくとも隙間ａの範囲に設けられるとともに、前記外れた方向に行くに従って下がるように形成されたテーパー部２１が設けられている。また、テーパー部２１はテーパー部２１の上方にスペース２２が設けられて画成されている。
【００２８】
パネル５は、スイッチケース４に被せられ化粧面を有するとともに、弧状の凹壁部２３が形成され、さらに収納開口部２４が穿設されている。そして、シーソーつまみ７はパネル５の収納開口部２４に配設され、シーソーつまみ７の図２で右外側壁面２５に隙間ａを隔ててパネル５に形成した弧状の凹壁部２３の左端縁部が配設されている。シーソーつまみ７は軸支孔８と軸支用突部１２を中心に揺動するようになっている。したがって、シーソーつまみ７は被当接部Ａを押し下げると、軸支孔８と軸支用突部１２を中心にして時計回り方向に揺動し、右外側壁面２５は一点鎖線で示す軌跡Ｂを描いて揺動する。
【００２９】
また、シーソーつまみ７を押し下げると、シーソーつまみ７の右外側壁面２５はスイッチケース４の右壁部２６に突き当たって右壁部２６がシーソーつまみ７のストッパーとなっているが、本実施例では、テーパー部２１は前記ストッパーから連続して形成されている。
【００３０】
これらのテーパー部２１及びスペース２２は、シーソーつまみ７の形成方向、つまり、図２の左右方向に設られている。これにより、パワーウインドウ駆動用スイッチとして複数のシーソースイッチ１をシーソーつまみ７の形成方向と直交する方向（図２の紙面に直交する方向）にコンパクトに並べて配置できる。
【００３１】
まず、上記実施例の２段シーソースイッチ動作について説明する。
【００３２】
図２及び図３に示す非操作時の状態からオペレータがシーソーつまみ７の図２の右上端を押し込むと、該シーソーつまみ７が軸支孔８と軸支用突部１２を中心にして揺動可能に保持されているため、軸支用突部１２を中心として図２で時計方向に揺動し、シーソーつまみ７の押圧側（右側）が下降する。シーソーつまみ７に加えられた操作力は、シーソーつまみ７の裏面に配設されたスイッチ作動部９ｂを介して作動体１５を押し下げ、さらにクリックゴム１６の図３で左右のゴムドーム１７Ａ、１７Ｂに伝えられるが、前記スイッチ作動部９ｂから図３で右側のゴムドーム１７Ｂまでの距離の方が左側のゴムドーム１７Ａまでの距離より小さいために、仮に、両者が同じであった場合、右側のゴムドーム１７Ｂを動作される為に必要な荷重は小さくとも済み、まず右側のゴムドーム１７Ｂが座屈変形を開始する。この場合、右側のゴムドーム１７Ｂの方が軽作動力で動作することも影響している。そして、図４及び図５に示すように、シーソーつまみ７が図４で例えば時計回り方向へやや揺動した時点で、図５の右側のゴムドーム１７Ｂがシーソーつまみ７の押圧動作により座屈変形してクリック感を生起すると共に、該ゴムドーム１７Ｂに設けられた可動接点（図示せず）がこれに対向する固定接点（図示せず）に接触し、該固定接点が可動接点を介して導通（オン）するため、該プッシュスイッチ１８からシーソーつまみ７の揺動操作に応じた１段目の電気信号が出力される。
【００３３】
図４及び図５の状態からさらにシーソーつまみ７を押し込むと、右側のゴムドーム１７Ｂの変形は完了しているので、今度は右側の軽作動力用のゴムドーム１７Ｂを回動支点として作動体１５が図５で反時計回り方向へ回動し、図５で左側のゴムドーム１７Ａに充分な力が加わる。そして、図６及び図７に示すように、該シーソーつまみ７が更に揺動した時点で、図７の左側のゴムドーム１７Ａが座屈変形して２段目のクリック感を生起すると共に、該ゴムドーム１７Ａに設けられた可動接点（図示せず）がこれに対向する固定接点（図示せず）に接触し、該固定接点が可動接点を介して導通（オン）するため、該プッシュスイッチ１８からシーソーつまみ７の揺動操作に応じた２段目の電気信号が出力される。なお、２段目のクリック感触を生じさせるゴムドーム１７Ａは重作動力で作動するようにしてあっても問題とはならない。
【００３４】
なお、かかる傾倒状態のシーソーつまみ７から手を離すと、上記一対のゴムドーム１７Ａ、Ｂの弾発力により、作動体９ｂを介してシーソーつまみ７の下降している側が押し上げられ、該シーソーつまみ７は図２及び図３に示す非操作状態に戻る。同時に、接触状態にあった可動接点はそれぞれ固定接点から離間し、２個１組のプッシュスイッチ１８は再び非導通状態（オフ）となる。
【００３５】
また、図２及び図３に示す非操作時の状態からオペレータがシーソーつまみ７の右端を引き上げると、該シーソーつまみ７が図２で反時計回り方向に揺動してスイッチ作動部９ａが押圧され、上記スイッチ作動部９ｂが押圧された場合と同様に、上記スイッチ作動部９ａに対応する２個１組のプッシュスイッチ１８から揺動角度に応じて１段目と２段目の電気信号が出力される。
【００３６】
したがって、１つのシーソーつまみ７に対して２つの作動体１５が作動され、その１つの作動体１５に対して２つのゴムドーム１７Ａ、１７Ｂが対向しており、１つのシーソーつまみ７で図８、図９に示す合わせて４つのゴムドーム１７Ａ、１７Ｂが動作されることになる。
【００３７】
次に、テーパー部２１及びスペーサ２２の作用について説明する。
【００３８】
図２の非操作状態では、シーソーつまみ７の右外壁面２５とパネル５の凹壁部２３の端縁面との間に隙間ａがある。したがって、小石や砂等の異物がパネル５の弧状の凹壁部２３に落ち込んだ場合、大きさが隙間ａ以上の異物の進入は防げる。しかしながら、隙間ａより小さい異物の場合、隙間ａから内部へ進入し、隙間ａの下方に配設されているテーパー部２１上に落下し、さらにテーパー部２１の傾斜によって図２の右方向へ滑り落ちる。このテーパー部２１は少なくとも右外壁面２５の揺動軌跡Ｂからａの長さ以上に渡って設けられ、かつテーパー部２１上にはテーパー部２１を画成する、異物が入り込めるスペース２２を配設してあるので、落下した異物は、スムーズにシーソーつまみ７の右外壁面２５の移動軌跡Ｂ外に排出されて、図６に示すように、シーソーつまみ７の末端まで押し下げ動作を妨げることがなく、よって１段目と２段目の電気信号を確実に出力することが可能となる。
【００３９】
なお、テーパー部２１に連続してスイッチケース４の端部に至るテーパー溝を設けるようにしても良い。これにより、異物が隙間ａから連続して入り込んだ場合、テーパー部２１の異物が連続したテーパー溝を経て排出され、次の異物が入り込んでも、テーパー部２１からテーパー溝を経て排出されるので、シーソーつまみ７は入り込んだ異物による支障を受けることなく、シーソーつまみ７の末端器でのシーソー動作という機能を継続的に維持でき、１段目と２段目の電気信号を出力することができる。
【００４０】
また、テーパー部２１は、異物（ゴミ）を貯める機能がある。なお、テーパー部２１はさらに水抜きの機能も持っている。ところで、テーパー部２１ではなくフラット（傾斜がない）であっても小石が水と一緒に流れる場合には、シーソーつまみ７のストロークが変わる（支障が出る）という問題はないが、水だけ蒸発して小石が残る場合、あるいは小石単独で入った場合には、傾斜のあるテーパー部２１でなくフラットであると異物がフラット面にとどまり異物が障害となってシーソーつまみ７のストロークが変わるという問題が考えられる。そのため、本発明では傾斜のあるテーパー部にした。
【００４１】
また、テーパー部２１の形成範囲は、シーソーつまみ７の中立位置から押し下げあるいは引き上げの操作状態により最大となる隙間ａに対応する部分に形成した。よって、どのようなシーソーつまみ７の操作状態であっても、上記効果を奏することができる。また、例えば、操作状態においても隙間ａが小さくなるようにすると、シーソーつまみ７の形状自体に制約が生じるが、内部のテーパー部２１の形成範囲を変更することによって異物がシーソーつまみの操作に影響を与える可能性を少なくできる。
【００４２】
上述した実施例では、２段クリック動作において軽作動力用のゴムドーム１７Ｂの不要な撓みを防止しているが、以下この本発明の特徴部分について詳細に説明する。
【００４３】
まず、実施例のゴムドーム１７Ａ、１７Ｂの寸法と軽作動力と重作動力の関係について説明する。
【００４４】
ゴムドーム１７Ａ、１７Ｂは上方から押されたとき、ゴムの弾性力に抗して押し潰され、座屈してクリック感を生じるようになっている。その際の作動力は、ゴムドームの肉厚等によって異なる。
【００４５】
図１０にはゴムドーム１７Ａ（１７Ｂ）の断面を示してあり、Ｈは基部２７Ａ（１７Ｂ）の厚さ、ｈはゴムドーム１７Ａの円錐状部２８の厚さ、Ｌはゴムドーム１７Ａの円錐状部２８の長さ（スパン）、Ｒはゴムドーム１７Ａの頭部２９の径である。
【００４６】
軽作動力のゴムドーム１７Ｂに対して重作動としたいゴムドーム１７Ａは径Ｒを軽作動力のゴムドームの径に比べて大きくしている。本実施例においてはゴムドーム１７Ａ、１７Ｂの根元部分の径を、同じとしているので、これによって、座屈時のドーム（円錐状部２８）のたたみしろとして、作動力に寄与するスパンＬが短くなるので、ゴムドームの作動力が大となる。
【００４７】
なお、重作動のゴムドーム１７Ａは円錐状部２８の厚さｈも若干厚くしている。また、ゴムドームを押圧するとドーム部分が座屈変形するが、その際に根元部分に連続している周囲の基部２７Ａも外側に広げられるよう変形するが、基台２７Ａの厚さＨを肉厚としていることでゴムドームの根元部分の広がりを抑えることができ、ドーム部分のみの変形とすることができるので、重作動とするのに寄与することができ、良好なクリック感触とすることができる。
【００４８】
次に、クリックゴムについて説明する。
【００４９】
図８及び図９に示すように、クリックゴム１６は、周辺の基部２７Ａを特に肉厚とした重作動力用のゴムドーム１７Ａと、重作動力用のゴムドーム１７Ａより周辺の基部２７Ｂを薄肉とした軽作動力用のゴムドーム１７Ｂとが交互に配置されて形成されている。すなわち、軽作動力用のゴムドーム１７Ｂの四角形状の基部２７Ｂの側辺には重作動力用のゴムドーム１７Ａの基部２７Ａの側辺が配置され、したがって、軽作動力用のゴムドーム１７Ｂの基部２７Ｂの３辺あるいは隣接する２辺は重作動力用のゴムドーム１７Ａの肉厚の基部２７Ａが配置されている。
【００５０】
また、図８に示すように、クリックゴム１６はスイッチケース５内に収納され、クリックゴム１６の周縁はスイッチケース５の内壁面３０に接しており、この内壁面３０が軽作動力用のゴムドーム１７Ｂの基部２７Ｂの変形を防止する防止部となっている。
【００５１】
このようにして、軽作動力用のゴムドーム１７Ｂはその基部２７Ｂの外周が、重作動力用のゴムドーム１７Ａの肉厚の基部２７Ａ並びにスイッチケース５の内壁面３０によって不要な撓み（動き）を規制されるので、軽作動力用のゴムドーム１７Ｂは歯切れの良いクリック感触とすることができる。
【００５２】
なお、スイッチケース５に設けた連結部材によって前記防止部を設けられない部分においては、重作動力用のゴムドーム１７Ａの基部２７Ａを利用できるので、別に基部に変形の防止部を設けるのに比べて寸法を大きくすることなく、また、簡単に形成することができる。また、前記連結部材が邪魔にならない部分については、剛性の高いスイッチケース５を利用して軽作動力用のゴムドーム１７Ｂの基部２７Ｂの変形を抑えることができるので、防止部をクリックゴム１６に設けるのに比べて小型化できる。
【００５３】
なお、上記実施例では、クリックゴム１６の全周に内壁面３０を接するようにして防止部として配置しゴムドーム１７Ｂの押圧に伴う基部２７Ｂの任意の面方向への移動を規制したが、本発明はこれに限らず、必ずしも、防止部によってクリックゴム１６の全周を規制する必要はない。例えば、基部２７Ｂの外周の対向する部分に肉厚の基部２７Ａあるいは防止部を設ければ、その対向する部分への基部２７Ｂの変形は、抑えられるので、このようにしても効果はある。具体的には、例えば、少なくとも基部２７Ｂが四角の場合、クリックゴム１６の対向する２辺に対しては内壁面３０を接するように配置せずとも良い。この場合にも基部２７Ｂの対向する１対の辺に、肉厚部の基部２７Ａあるいは防止部（接する内壁面３０）が存在する為である。なお、外周が丸形状であっても同様である。
【００５４】
また、上記実施例ではシーソーつまみ７の押し下げによって作動体１５は揺動もするようになっているが、本発明はこれに限らず、ガイド孔１４を作動体１５が傾かずに垂直方向のみに移動するように構成し、ゴムドームに荷重が加わるまでのストロークを異ならせることによってスイッチを押圧する構成としてもよく、このようにすることによって作動体１５は垂直方向からの押圧となるので、ゴムドーム１７Ａ、１７Ｂに斜め方向の押圧荷重が加わりにくくなるのでダメージを与えないようにすることができる。
【００５５】
このように構成された前記実施例にあっては、軽作動力用のゴムドーム１７Ｂの基部２７Ｂの外周が、重作動力用のゴムドーム１７Ａの肉厚の基部２７Ａ並びにスイッチケース５の内壁面３０によって不要な撓み（動き）を規制されるので、軽作動力用のゴムドーム１７Ｂは歯切れの良いクリック感触とすることができる。また、重作動力用のゴムドーム１７Ａの基部２７Ａを利用できるので、別に基部に変形防止部を設けるのに比べて寸法を大きくすることなく、また、簡単に形成することができる。また、剛性の高いスイッチケース５を利用して変形を抑えることができるので、クリックゴム１６に設けるのに比べて小型化できる。
【００５６】
また、重作動力用のゴムドーム１７Ａの方においては基部２７Ａを肉厚として軽作動力用のゴムドーム１７Ｂの基部２７Ｂの変形を抑えることができるが、重作動力用のゴムドーム１７Ａはもともと作動力を重く設定しても良いので、問題ない。
【００５７】
したがって、軽作動力用のゴムドーム１７Ｂ（スイッチ）と重作動力用のゴムドーム１７Ａ（スイッチ）を、小型で簡単に歯切れの良いクリック感触とすることができる。
【００５８】
また、前記実施例にあっては、軽作動力用のゴムドーム１７Ｂと重作動力用のゴムドーム１７Ａを対角線上に配置しているので、重作動力用のゴムドーム１７Ａの基部２７Ａを軽作動力用のゴムドーム１７Ｂの基部２７Ｂの変形防止として最大限利用できる。
【００５９】
また、前記実施例にあっては、基部を押さえ付ける場合には、その押さえるバラツキによって基部の変形量が異なってしまうのでクリック感触が異なる可能性があるが、防止部は、スイッチケース５の内壁面３０と、基部２７Ｂの側面とが接して構成されているものであるので、基部の変形量が異なってしまうことがなくクリック感触が安定する。
【図面の簡単な説明】
【００６０】
【図１】本発明の実施例に係るスイッチ装置を適用したパワーウインドウスイッチ装置の平面図である。
【図２】図１の２−２線に沿った断面図である。
【図３】図２の３−３線に沿った断面図である。
【図４】押圧状態を示す断面図である。
【図５】図４の５−５線に沿った断面図である。
【図６】更に押圧した状態を示す断面図である。
【図７】図６の７−７線に沿った断面図である。
【図８】スイッチケース内に収納されたクリックゴムを横断して示す断面図である。
【図９】クリックゴムの斜視図である。
【図１０】クリックゴムのゴムドームの寸法関係を示す説明図である。
【図１１】従来のスイッチ装置の断面図である。
【図１２】図１１の操作後の状態を示すの断面図である。
【符号の説明】
【００６１】
５  スイッチケース
１６  クリックゴム
１７Ａ  重作動力用のゴムドーム
１７Ｂ  軽作動力用のゴムドーム
２７Ａ  基部
２７Ｂ  基部
３０  内壁面
【図１】
2006228525.tif 000003
【図２】
2006228525.tif 000004
【図３】
2006228525.tif 000005
【図４】
2006228525.tif 000006
【図５】
2006228525.tif 000007
【図６】
2006228525.tif 000008
【図７】
2006228525.tif 000009
【図８】
2006228525.tif 000010
【図９】
2006228525.tif 000011
【図１０】
2006228525.tif 000012
【図１１】
2006228525.tif 000013
【図１２】
2006228525.tif 000014